(57)【要約】      （修正有）【課題】使用者の足やスキー底部との間の距離を低減することが可能でスキーの正確な操作が可能なクロスカントリースキー用ビンディングの提供。【解決手段】ブーツ２０はスキーの上面１３に向かって位置するように適合された外面２３を備えるソール２２を有する。ビンディングはソール２２の外面２３からの固定距離にフランジを含む留め具３０、及び前記フランジから延在するベース２４を有し、ベース２４はフランジのフランジ断面よりも小さなベース断面を有する。ビンディングはさらに前記ベース断面よりも大きく、前記フランジ断面よりも大きな開口断面を備えるフランジ開口部を有する１枚のフレーム板９を含み、且つスキーの上面１３に平行な方向に移動可能なレバー又はスライドを含む。レバー／スライドは外面２３と前記フランジとの間に存在する。【選択図】図１
2014012137.tif 000002
【特許請求の範囲】
【請求項１】
スキー（１０）にブーツ（２０）を着脱可能に固定するビンディング（１）であって、
前記スキー（１０）は長さ（Ｌ）、側部（３ａ、３ｂ）、前記側部間の幅（Ｗ）、及び前記長さ及び幅と直交する厚み（Ｈ）を有し、前記長さ及び幅の方向に延在する上面（１３）を有し、
前記ブーツ（２０）は足カバー部、及びブーツの長さ方向（Ｓ５）を備えるソール（２２）及びスキーの前記上面（１３）の反対側に位置するように適合された外面（２３）を有し、前記ビンディング（１）は、
前記ソール（２１）に取り付けられた剛接続部品を有し、
前記剛接続部品を受ける、及び前記定位置固定要素の反対側にブーツに前記剛接続部品を着脱可能に固定する可動式固定要素、前記要素の両方は前記スキー（１０）に取り付けられており、
前記剛接続部品は、ソール（２２）の前記外面（２３）から固定距離（Ｓ１）にあるフランジ（３１）を含む留め具（３０）であって、且つソールの前記外面（２３）の反対側の前記フランジから延在するベース（２４）であって、前記ベースは同一のフランジのフランジ断面（Ａ１）よりも小さなベースの断面（Ａ２）を有し、
前記定位置固定要素は前記ベース断面（Ａ２）よりも大きく且つ前記フランジ断面（Ａ１）よりも大きな開口断面（Ａ３）を備えるフレーム開口部（１４）を有する１枚のフレーム板（９）を含み、これにより、前記留め具（３０）は前記フレーム開口部（１４）に挿入可能であり、
前記可動式固定要素はスキーの前記上面（１３）と平行な方向（Ｐ１又はＰ２）に移動可能なレバー（８）又はスライド（７）を含み、前記レバー／スライドはブーツの前記上面（２３）と前記ベース（２４）上の前記フランジ（３１）との間に存在することを特徴とする、ビンディング（１）。
【請求項２】
前記留め具（３０）は、平坦且つ平行な側面（４ａ、４ｂ）、及び前記面（４ａ、４ｂ）の間の前記ベース（２４）の外部を延在する逆フランジ部（６ｃ、６ｄ）を有し、且つ好ましくは
前記面（４ａ、４ｂ）は前記長さ（Ｌ）と平行であって、且つ前記逆フランジ部（６ｃ、６ｄ）は前記長さ（Ｌ）に延在するか、或いは
前記側面（４ａ、４ｂ）は前記長さ（Ｌ）に直交し、且つ前記逆フランジ部（６ｃ、６ｄ）は前記長さ（Ｌ）と直交する方向に延在することを特徴とする、請求項１に記載のビンディング。
【請求項３】
留め具の前記ベースは前記フランジ（３１）から離れた方向に向いた接触面（３２）を有し、ソール（２１）の前記外面（２３）に位置するように適合されていることを特徴とする、請求項１に記載のビンディング。
【請求項４】
前記留め具は、第１の固定要素（３４）のための第１の穴（３３）を含み、これによって留め具（３０）が前記ソール（２２）に固定され、前記面（４ａ、４ｂ）及び前記逆フランジ部（６ｃ、６ｄ）は前記ブーツの長さ（Ｓ５）に延在することを特徴とする、請求項２に記載のビンディング。
【請求項５】
前記１枚のフレーム板（９）は、留め具（３０）の固定距離（Ｓ１）よりも短いフレーム厚（Ｔ１）を有することを特徴とする、請求項１に記載のビンディング。
【請求項６】
前記１枚のフレーム板（９）は、第２の固定要素（１６）用の第２の穴（１５）を含み、前記側面（４ａ、４ｂ）及び前記逆フランジ部（６ｃ、これにより、６ｄ）がスキー（１０）の前記長さ（Ｌ）に沿って延在するように、前記留め具（３０）を挿入可能にする位置に、前記フレーム板（９）が上面（１３）側に接して前記スキー（１０）に固定されていることを特徴とする、請求項１に記載のビンディング。
【請求項７】
前記ビンディング（１）は、
前記フランジ（３１）のフランジ厚（Ｓ３）よりも大きな支持厚（Ｓ２）を有し且つ前記フランジ断面（Ａ１）よりも大きな支持断面（Ａ４）を備える支持開口部（４１）を有する、前記フレーム板（９）とスキー（１）の前記上面（１３）の間に取り付けられた前記支持板（４０）とを備えるか、或いは
前記フランジ（３１）のフランジ厚（Ｓ３）よりも大きな深さ（Ｓ４）及び前記フランジ断面（Ａ１）よりも大きな空洞断面（Ａ５）を有する、スキー（１）の前記上面（１３）上の空洞（４２）を含むことを特徴とする、請求項１又は６に記載のビンディング。
【請求項８】
前記レバー（８）又は前記スライド（７）が、スキー（１）にブーツを固定するために留め具のフランジ（３１）とフレーム板（９）の間の留め具の前記ベース（２４）に移動し、且つ、ブーツの脱着のために、それぞれが前記ベース（２４）との接触から離れることを特徴とする、請求項１に記載のビンディング。
【請求項９】
前記フレーム板（９）と前記上面（１３）の間又は前記フレーム板（９）と前記支持板（４０）の間に存在する前記レバー（８）がそれぞれスキー（１０）の上面（１３）と直交する軸（２）の周りを回転可能に移動可能であるか、或いは
前記フレーム板（９）と前記上面（１３）との間、又は前記フレーム板（９）と前記支持板（４０）との間に存在する前記スライド（７）がスキー（１０）の長さ（Ｌ）にそれぞれ直線的に移動可能であることを特徴とする、請求項７に記載のビンディング。
【請求項１０】
前記スライド（７）が、
縦方向の第１の開口部（５５）にある端部（５３）を有し、この端部は前記フランジ（３１）とソール（２２）の間の留め具（３０）の前記ベース（２４）に押し付けるか、或いは
前記長さ（Ｌ）と平行な留め具（３０）のこれらの側に沿ってスキーの長さ（Ｌ）に延在し且つそこから離れている２つの平行なフォーク（５６ａ、５６ｂ）を有し、前記留め具は前記長さ（Ｌ）に垂直に延在する２つのフランジ部（６ｅ、６ｆ）を含むことを特徴とする、請求項１又は５に記載のビンディング。
【請求項１１】
スケーティングスタイルスキー用に、前記留め具（３０）は１つの剛部品であることを特徴とする、請求項１に記載のビンディング。
【請求項１２】
クラシックスタイルスキー用に、留め具（３０）の前記フランジ（３１）及び前記ベース（２４）は別個の部品であり、前記ベースはベースを囲む前記フランジの内側にそれぞれ存在し、
前記ビンディング（１）は更にスイベル（３５）を含み、これはスキー（１０）の前記幅（Ｗ）に平行に存在するために別個のベース（２４）及び別個のフランジ（３１）と交差する軸線（３６）を有し、且つ前記別個のベース（２４）にある第１の固定要素（３４）用の第１の穴（３３）を有することを特徴とする、請求項１に記載のビンディング。
【請求項１３】
スキー用のビンディング構造を備えるスキーであって、ビンディング構造が請求項１〜１２のいずれか１項に記載のものであることを特徴とする、スキー用のビンディング構造を備えるスキー。
【請求項１４】
スキー用のビンディング構造を有するスキーブーツであって、ビンディング構造が請求項１〜１２のいずれか１項に記載のものであることを特徴とする、スキー用のビンディング構造を有するスキーブーツ。
【請求項１５】
ブーツのソールがブーツのソールの側面近くに隆起部（９１〜９４）を含み、この隆起部は、スキー無しで地面に立ち上がる際に使用者の自重を運ぶためブーツのソールの底面から延在し、且つ隆起部の間の側面の距離は好ましくはビンディング領域におけるスキーの幅以上であり、それによってスキーは、スキーとブーツがビンディングに取り付けられる際に、隆起部の間にあることを特徴とする、請求項１４に記載のスキーブーツ。
【発明の詳細な説明】
【技術分野】
【０００１】
本発明は、ブーツ又は靴にスキーを着脱可能に固定するビンディングに関する。当該スキーは長さ、側部、これらの側部間の幅、長さ及び幅と直交する厚みを有し、長さ及び幅の方向に延在する上面を有する。当該ブーツ／靴は足カバー部を有し、ブーツの長さを有するソールを有し、当該スキーの当該上面に向かって位置するように適合された外面を有する。当該ビンディングは、当該ソールに取り付けられた剛接続要素、当該接続要素を受ける定位置固定要素、及び当該固定要素に対しブーツの当該固定接続要素を着脱可能に連結する可動式接続要素を備え、当該要素の両方はスキーに取り付けられている。本発明は、更にスケーティングスタイルのクロスカントリースキー用のビンディング、及びクラシックスタイルクロスカントリースキー用のビンディングの両方に関する。本発明は、スキージャンプ用のビンディングにも適用可能である。
【背景技術】
【０００２】
過去１０年の間に、幾つかのタイプのクロスカントリースキー用のビンディングが提案され公開されている。しかし、それらのビンディングの多くは、様々な理由により使用されていない。問題の１つの理由は、スキーブーツ／靴とスキーのビンディングは互いに構造のタイプが一致されるべきであるが、これはブーツの製造会社、ビンディング部の製造会社、及びスキーの製造会社は緊密な協力関係を持っている必要があることを意味している。もう１つの問題は、使用者が自分の古いスキーの為の新しいブーツ、又は使用者の古いブーツの為の新しいスキーを買いたいと思うということである。これは、新しいビンディングモデルが旧モデルのブーツやスキーで動作する必要があることを意味している。これは、一方では、古いモデルとの互換性を確保する為に、ブーツ、スキーやビンディングに必要な特徴を蓄積する問題を引き起こす。
【０００３】
殆どの先行技術のビンディングはブーツの非常に先端における接続を使用する。この解決法では使用者の足の最適な人間工学的動きを許容することができない。フロント接続はどちらかのスキーの使用者の正確な制御を提供しない。さらに他の技術的問題、及び／又は先行技術のビンディングでの使いやすさに不足があった。
【０００４】
先行技術である文献米国特許出願公開第２００７／０１３８７６５号は、クロスカントリースキーブーツの前端部を保持し、自由に昇降することを残しているブーツの後端を保持したクロスカントリースキービンディング装置を開示する。この目的の為にスキーの部品は、スキーにブーツを保持するビンディング装置を受けるように適合された上面を有するスキーと、スキーから分離に対して少なくともブーツの前端部を保持するためのビンディング装置と、スキーをビンディング装置に固定する為の固定装置を含む当該ビンディング装置と、スライドを含んだ当該固定装置と、及びスキーの上面に対しビンディング装置の下部を平坦にすることを可能とする為の締め付け機構を含む。
【０００５】
当該文献のビンディング装置において、前端のコネクターは可動フック状ジョーおよびスポーツ装置にブーツ、またはスキーをロックするためのすべての不動のジョーを形成する横方向エッジを有するロック機構と協働するように適合される。一旦固定機構において固定されると、前端のコネクターは内側ジョーを自由に回転可能にし、これにより、ブーツ前端の関連した連結を可能にする。この言及文書においてビンディング装置は２つの部分コネクターを有するクロスカントリースキーブーツの連結を確実にするために適合され、その上に、ロッド又はピン又は他の構造要素のように、ブーツが２つの接続を有し、そして後者の真下に流すように、又は実質的に流すようにブーツのソールに配置される。それ故に、これらの接続は、例えば、ブーツのソールの下端表面に提供された縦方向の溝を交差して延在する２つの円柱状の接続がある。使用者の足の中足指節の範囲に対応するブーツの範囲の領域に又は前方に配置されるように、前端の接続は、例えば、ソールの前端部の近傍において、配置され、且つ後端の接続は、予め判定された距離によって後方に相殺される。柔軟なソールを有するブーツを使用する際、接続範囲の配置は、スキーヤーが足の湾曲に対応するブーツの湾曲を維持するのを可能とする。
【０００６】
欧州特許第０  ７２５  ５７８号は、ソールと結合する上部を含むクロスカントリースキーの靴／ブーツを開示しており、且つ当該ソールはスキーのくびれ部分の上面と固定し且つヒンジする手段を有し、これはソールの前端部と緊密に位置することを意味し、ソールの底面は、スキーのくびれ部分の上面に位置する固定手段と一致して協働可能な踵と中足骨の指骨の間の領域に位置する第２の固定手段をも有する。さらに第１の固定手段は、スキーの縦軸方向の視点から横位にあるシャフトを構成し、第２の固定手段は、シャフトに平行で靴の同じ縦軸方向に位置する横位シャフトを構成し、各々の固定手段はソールの外面において形成された別個の陥凹において適合されている。
【０００７】
また、当該文書は、上述した靴を使用したクロスカントリースキーユニットを開示し、当該スキーユニットはスキー及びスキーに不可欠なあるいはそうでないビンディングを含む。このビンディングは、靴の第１の固定手段と協働し且つ保持するのに適しており且つスキーの縦軸方向に平行な方向にスライド可能な装置を含み、且つそれと結合するために又は第１の靴の固定手段からそれを解放するために当該装置をスライドさせる目的でビンディング前端に配置された制御手段を含む。当該ビンディングは踵の領域と中足骨の指骨のジョイントとの間に位置する靴のソールの第２の固定手段と協働し且つ保持する目的のある第２の装置を有する。
【発明の概要】
【発明が解決しようとする課題】
【０００８】
これら先行技術文献に開示された解決策は、上記問題の幾つかの影響を低減するが、解決策は依然として最適ではない。例えば、使用者の足やスキー底部との間の距離は、スキーの正確な制御を可能とするためには高すぎる。また、記載されたソリューションは、スケーティング型のスキーや従来の型のスキーの両方に最適化されてはいない。
本発明
【０００９】
これは、従来技術の問題点を回避又は低減されるビンディングの解決策を提示するための本発明を目的とする。
【課題を解決するための手段】
【００１０】
本発明のビンディング及びブーツにおいて、剛接続要素はソールの外面からの固定距離にフランジを含む留め具であり、且つソールの当該外面に対して当該フランジから延在するベースである。当該ベースは当該フランジの断面よりも小さいベースの断面を有する。さらに当該定常の固定要素は当該フランジの断面よりも小さく、且つ当該ベースの断面よりも大きな開口部の断面を有するフレーム開口部を有する１枚のフレームプレートを含み、その結果当該留め具は当該フレーム開口部に挿入可能である。また、当該移動可能な固定要素は、当該ブーツの外面と当該ベースに対するフランジとの間における、スキーの当該上面と平行な方向に移動可能なレバー又はスライドを含む。
【００１１】
本発明は、添付の独立請求項により規定されている。本発明のいくつかの好ましい実施形態は、従属請求項および以下の詳細な説明に開示されている。
【００１２】
本発明は、従来技術に対して重要な利点を提供する。本発明によれば、スキーの底に使用者の足との間の非常に短い距離を提供することができる。また、ブーツとスキーの間の接続を、ソールの最適な位置に設けることができる。これらの理由から、スキーの制御が非常に正確である。また、本発明は、スキーのビンディングの容易な固定を可能にし、それは、他の古い型のビンディングとの接続を可能にする。
【図面の簡単な説明】
【００１３】
【図１】本発明に係るスケーティングスタイル用のビンディングの第１の実施形態の概略斜視図であり、ブーツをスキーに着脱可能な状態で固定する為の構成を有するブーツ及びスキーの両方について、上面側から見えるクロスカントリースキーと一緒にソールの外部から見えるブーツ又は靴と近接して記載されている。
【図２】実質的に図１と同じ視点で第１の実施形態に係るクロスカントリースキーを示すが、定位置固定要素をより詳細に、スキーに向かって前方に下がる際に定位置固定要素に挿入される位置にブーツのソールを取り付ける留め具を示している。
【図３】定位置固定要素とスキーとの間の、留め具の要素が無く、図２の平らなＩ‐Ｉに沿って見た別個の支持板を用いるスキーに位置する本発明の第１の実施形態に係る定位置固定要素の断面図である。
【図４】図３と同様の視点からみた、固定要素のない、スケーティングスタイルのスキーの為の、特別な支持板のないスキーに直接位置する、本発明の第２の実施形態に係る定位置固定要素の断面図である。
【図５Ａ】図５Ａは、本発明に係るビンディングの第３の実施形態の概略斜視図であり、また固定ノブの回転を図示する。図５Ａにおいてビンディングは固定されていない位置にあり、且つ図５Ｂにおいてビンディングは固定された位置にそれぞれある。
【図５Ｂ】図５Ｂは、本発明に係るビンディングの第３の実施形態の概略斜視図であり、また固定ノブの回転を図示する。図５Ａにおいてビンディングは固定されていない位置にあり、且つ図５Ｂにおいてビンディングは固定された位置にそれぞれある。
【図６Ａ】図６Ａは、本発明に係るビンディングの第１の実施形態の留め具の形状を図示しており、図６Ａは図２のＩＩの方向における等角図である。また図６Ｂは図６ＡのＩＶの方向における側面図であり、図６Ａは点線により本発明に係るビンディングの第４の実施形態の留め具の形状を追加的に図示する。
【図６Ｂ】図６Ｂは、本発明に係るビンディングの第１の実施形態の留め具の形状を図示しており、図６Ａは図２のＩＩの方向における等角図である。また図６Ｂは図６ＡのＩＶの方向における側面図であり、図６Ａは点線により本発明に係るビンディングの第４の実施形態の留め具の形状を追加的に図示する。
【図７】本発明に係るビンディングの第５の実施形態の留め具の形状を図示し、特に図６Ａと同様の図として、典型的なスキースタイルを意図する。
【図８】本発明に係るビンディングの第６の実施形態の留め具の形状を図示し、特に図５Ａ〜５Ｂ及び図７において類似して、典型的なスキースタイルを意図する。この留め具において、図５Ａ〜図５Ｂ及び図７による留め具の特徴が組み合わされている。
【図９】本発明の実施形態に係る隆起部を用いたブーツのソールを示す。
【図１０】ビンディングのさらなる実施形態を示す。
【図１１ａ】図１１ａは同一のブーツがスケーティングスタイルとクラシックスタイルスキーの両方で使用可能である配置を示す。
【図１１ｂ】図１１ｂは同一のブーツがスケーティングスタイルとクラシックスタイルスキーの両方で使用可能である配置を示す。
【発明を実施するための形態】
【００１４】
クロスカントリースキー１０にブーツ２０を着脱可能に固定するビンディング１に関する新規な構成を開示する。クロスカントリースキー１０は長さＬ、幅Ｗを備える側面３ａ、３ｂを有し、その間に長さと幅に直交する厚さＨを有する。さらにスキー１０は長さ及び幅の方向に延在し、底面３ｃに向かう方向に延在する上面１３を含む。底面３ｃは雪と接することを目的としたものであり、底面は如何なる型にも形成することができ、本明細書には記載されていない。スキーの靴又はブーツ２０は、図示されていないが、足カバー部、及びブーツの長さＳ５を備えるソール２２及び外面２３（実際には表面２３と接する地面／床等であって、スキーの上面１３に向かって位置するように適合されている）を有する。基本的には、ブーツ／靴はスキー用の如何なるタイプにも適応可能である。一般に、ビンディング１はソール２１に取り付けられた剛接続部品を有し、定位置固定要素は上述の剛接続要素を受け、且つ更に上述の剛接続部品（定位置固定要素に対して、ブーツに取り付けられている）を着脱可能に固定する可動式固定要素を有する。定位置固定要素と可動式固定要素の両方ともスキー１０に取り付けられる。
【００１５】
本発明によれば、剛接続部品は（ソール２２の外面２３から固定距離Ｓ１にある）フランジ３１、及び（フランジ３１からソールの外面２３に向かって延在する）ベース２４を含む１つの留め具３０である。ベース２４は、対象のフランジ３１のフランジ断面よりも小さなベースの断面Ａ２を有している。従って、フランジはソール２の外面２３からＳ１の固定距離に位置する。
【００１６】
一般に、必要でないことであるが、１つの留め具３０は平面を有し且つ平行な側の面４ａ、４ｂを有する。それはブーツの長さＳ５及びスキーの長さＬと平行であり、逆フランジ部６ｃ、６ｄは、側面４ａ、４ｂの間のベース２４の外に延在する。これらのフランジ部６ｃ、６ｄはブーツの長さＳ５の間及びスキーの長さＬの間に存在する。この例が図１，２及び図６Ａに示されている。これと異なるタイプは、本明細書の後半に詳述されている。
【００１７】
代替的に、一般的且つ可能性のある他の側の表面は、図示されてはいないが、スキーの長さＬと直交し、且つブーツの長さＳ５と直交してもよい。それぞれ他の逆フランジ部６ｃ及び６ｄは、図６Ａに点線で示されているが、ブーツの長さＳ５と及びスキーの長さＬと直交する方向に延在する。後者の場合、スライド７は、本明細書の後半に記載されているが、スキーに留め具を固定する為にスキーの長さＬに延在する２つの平行なフォーク５６ａ、５６ｂを有する。とにかく、フレーム板９のフレーム開口部１４は当然そのような寸法を有し、これらのフランジ部及び一方向における留め具３０のベースの視点から、単一フレームプレート９の内側の留め具の挿入を可能にしている。
【００１８】
更に１つの留め具において、より小さなベース断面領域Ａ２を備えるベース２４からより大きなフランジ断面Ａ１を備えるフランジ３１への移行は、図２、図６Ａ及び図６Ｂに示すような急な工程により行うことができ、明確に限定されたベース及びフランジを示す。或いは、図５Ａ、図５Ｂ及び図８に示されるような平らな又は傾斜のある変換によって、逆の先端と底面との間で留め具３０の側面に沿って実質的な面又は斜角５ａ、５ｂ及び５ｃ、５ｄ（斜角５ｄは図８では不可視であるが可視化可能な斜角５ｃと逆にある）を示す。これらの斜角は例えば、雪の影響を避けるための。上述した堅い留め具はスケーティングスタイル用のスキーにおいて有益である。
【００１９】
さらに、留め具３０のベース２４はフランジ３１から離れた方向にある接触面３２を有し、且つソール２１の外面３２に位置するように適合されている。また、留め具３０は要素３４に最初に固定する為に第１の穴３３を含み、固定要素を備える留め具３０はソール２２に固定される。固定要素は例えばネジであってもよい。留め具がソールの内側に部分的に留め具を包埋することによりソールに固定されてもよい。この場合、留め具はソール側に付着して取り付けられた形態を有することがある。
【００２０】
留め具は同様の位置でソールに固定され、第１及び第２の実施形態においては、側面４ａ、４ｂ及び逆フランジ部６ｃ、６dはブーツの長さ５Sに延在するか、或いは第４の実施形態においては、側面及び逆フランジ部６ｅ、６fがブーツの長さ５Sと垂直にそれぞれ延在する。従って、側面及び逆フランジ部のいずれかがスキーの長さLと平行に延在するか、又は代替的に側面及び逆フランジ部がスキーの長さLと垂直方向に延在する。好ましくは、スキーの長さLは実質的にはブーツ長Ｓ５と平行になるが、しかしスキーの長さLとブーツの長さＳ５の間の小さな又は適度な角度が存在することが特筆すべきことである。
【００２１】
本発明の一実施形態においては、ブーツのソールはソールの側面に突起又は隆起部を有し、ソールの底面から延在する。隆起部を有する代表的なブーツのソール３０を図９に示す。ソールの前端部に前端の隆起部９１、９２があり、バランスを取るためにソールの後端部に後端の隆起部９３、９４がある。これらの隆起部は好ましくはブーツがスキーに乗っていない時に、留め具３０の代わりに地面に対して隆起部が使用者を運ぶような高さを有することが望ましい。隆起部はそれ故に好ましくは少なくとも留め具と同程度のソール表面から延在する。一方で、隆起部は好ましくはソール上に位置しているために、ブーツがスキーに取り付けられている時にスキーが隆起部の間にくるのが望ましい。隆起部はそれ故にスキーのスキーエッジの外側に続く。隆起部はそれ故にブーツと共に歩くとより快適になり、且つ、留め具はスキー無しで立ち上がる時又は歩行時に使用者の体重移動を原因とする損傷を受けない。隆起部はまた収集し留め具を装着することから雪や氷を避けることを支持する。さらには、隆起部はスキーと使用者の足との間の距離を増加させない。隆起部はまた特にスキーのダウンヒルにおいて捻れを付与し保持する。
【００２２】
本発明によればビンディングにおける定位置固定要素はフレーム厚Ｔ１を備える１枚のフレーム板９を含み、１枚のフレーム板９は留め具３０の固定距離Ｓ１よりも小さい。この１枚のフレーム板９はフレーム開口部１４を有し、フレーム開口部１４は留め具３０のベースの断面Ａ２よりも大きく且つ同時に留め具３０のフランジの断面Ａ１よりも大きな開口部Ａ３を有している。その結果、留め具３０はＩＮ方向に挿入され、且つフレーム開口部１４を通る可能性がある。ここで断面の意味は断面の寸法という意味であり、それぞれ他の寸法に整列する。例えば、各々の寸法は断面が大きいか小さいかを判断するために比較される。上述した挿入は、一般に靴／ブーツの内側の足を用いて、靴／ブーツを下向きに押すことにより行われ、留め具３０はフレーム板９のフレーム開口部１４を通って押される。
【００２３】
１枚のフレーム板９はさらに第２の固定要素１６に対する第２の穴１５を含み、ここでフレーム板９は（ブーツ長Ｓ５がスキー１０の長さと平行となるように）その位置における上面１３のスキー１０に固定され、留め具３０を挿入可能にする。より好ましい実施形態として、これは、側面及び逆フランジ部がスキー１０の長さＬに沿って延在することを意味するか、又は代替的にそのスライド表面及び逆フランジ部がスキー１０の長さと垂直に伸びているようなことを意味する。
【００２４】
フレーム板がスキーの上面１３と接触するように、上述の１枚のフレーム板９はスキー１０に直接固定されていても、代替的に、支持板４０がフレーム板とスキーの上面１３との間にあるように、上述した１枚のフレーム板９はスキー１０に固定されていてもよい。支持板４０は、ビンディング１に含まれる場合、フランジ３１のフランジ厚Ｓ３よりも大きな支持厚Ｓ２を有する。挿入時に留め具はスキーに対向していない。この目的に対して、支持板４０は支持開口部４１を有する。支持開口部４１はフランジ断面Ａ１より大きな支持断面Ａ４を有する。従って、支持板４０はフレーム板９とスキー１０の上面１３との間に取り付けられてもよい。支持板の無い代替形態の場合、ビンディング１はさらにスキー１の上面１３上の空洞４２を含む。この空洞４２はフランジ３１のフランジ厚Ｓ３よりも大きな深さＳ４を有し、且つ空洞の断面Ａ５はフランジ断面Ａ１よりも大きい。挿入時の留め具はスキーの内部と対向していない。それ故に支持開口部４０及び空洞４２は十分に深い留め具を受け入れるようになっており、その結果、ソールの外面２３はフレーム板９の上面１９に対向して押されてもよい。このブーツ／靴及び足の手段は可能な限りスキー１０に近づけて位置され得る。
【００２５】
加えて、支持板４０又はフレーム板９は雪除去溝又は複数の溝４７を有することがあり、それらは支持板４０の支持開口部４１から、又はスキー１０の空洞４２からビンディング１の外側へ延在する。隣接するレバー８又はスライド７は留め具の周りから過剰な雪を押しのける可能性があり、それ故スキーをブーツに固定することを確実にする。
【００２６】
更に、本発明によれば、可動式固定要素はＰ１、Ｐ２方向への開閉において移動可能なレバー８又はスライド７を含み、それらは図５Ａ及び図５Ｂに示すような直線的な可動が可能であり、又は図１から４に示すような回転運動が可能である。可動方向Ｐ１及びＰ２はとにかく実質的にはスキーの上面１３と平行であり、図３に示されるような、くさび型の支持板又はくさび型のフレーム板により引き起こされるような、わずかな角度の偏移が許容されてもよい。一般に、Ｐ１、Ｐ２方向への開閉はスキーの上面１３に対して平行であるか、又は支持板の上面に対して平行である。
【００２７】
フレーム板９のフレーム開口部１４において留め具３０を備えるスキーにブーツ／靴が押し付けられると、レバー／スライドが、ブーツの外面２３とベース２４上のフランジ３１との間へ移動する。レバー８又はスライド７は、ブーツ２０を断面のスキー１０に固定するために、留め具のフランジ３１とフレーム板９の間の留め具のベース２４に移動する。これは閉じる方向への移動であり、且つそれぞれブーツ２０と着脱可能となるためにベース２４への接触から離れることとなる。これは開く方向への移動である。レバー８とスライド７は、どちらが構成上存在したとしても、フレーム板９とスキーの上面１３との間に位置し、又はフレーム板９と支持板４０との間にそれぞれ位置する。
【００２８】
レバー８は操作アーム２７を有し（これは例えば手などにより使用される）且つ活動アーム２８を有する（これはレバー８が操作アーム２７と活動アーム２８との間にある軸２の周りを回転している際に留め具の反対側に引っ張られている）。また、軸２は実質的にはスキー１０の上面１３に垂直に存在する。好ましくは操作アーム２７と活動アーム２８はＬ字の共通の形態を有し、操作アーム２７は一般に活動アーム２８よりも長い。この構成は、雪を押し分け且つブーツの固定をより確実に信頼のおけるものとするための活動アーム２８と留め具３０との間の閉じる力を十分に高いものとすることを可能にする。
【００２９】
スライド７は、図５Ａ及び図５Ｂに示すように、スキー１０の長さＬ方向に直線的に移動可能である。この目的の為にスライド７は端部５３を有し、これはちょうどレバーの活動アーム２８のようにフランジ３１とソール２２との間で留め具３０のベース２４の反対側を押す。代替的に、スライド７は長さＬと平行な留め具３０のこれらのスライドに沿ってスキーの長さＬ方向に延在し、且つ代替え的なフランジ部６ｅ及び６ｆを有する２つの平行なフォーク５６ａ、５６ｂを有することがある。それ故に、後者の場合には留め具は本明細書で前述したようにスキー１０の長さＬ方向に垂直に延在する２つのフランジ部６ｅ、６ｆを含む。両方の実施形態においてスライド７は捻れたノブ６０により操作され、これはスキー１０の上面１３に直交する軸線６１の周りを回転可能である。ノブはまた軸線６２沿って紡錘状に下降した形態を有し、これは紡錘がスライド７の横溝６３に突出している。Ｐ３及びＰ４方向にある捻れノブ６０は横溝６３と協働して軸線６２と共に紡錘を形成し、結果としてスライドも、図からの情報を使用することにより容易に理解可能なように、Ｐ１，Ｐ２方向に長軸上に移動する。それ故に全ての異なった形態において、回転運動はレバー８とスライド７の閉開を引き越こす。
【００３０】
スケーティングスタイルのスキー用では留め具３０は１つの剛部品であり、代替形態が図１、２、５A〜５B及び６A〜６Bに示されている。この代替形態において、ブーツ／靴はスキーに対して緊密さが維持されているので、ブーツ／靴の踵は実質的にはスキーと接触した状態が保たれている。クラシックスタイルスキー用では留め具３０のフリンジ３１及びベース２４は部品が別々になっているが、互いにスイベル３５により接続され、ベースは例えば内側の互いにそれぞれがベースの周りにフランジがあるようになっている。クラシックスタイルスキー用ではビンディング１はそれ故にスイベル３５を含み、軸線３６がスキー１０の幅Wと平行になるように、１つの留め具３０の別個のベース２４と別個のフランジ３１を交差する軸線３６を有しており、代替形態が図７及び図８に示されている。ここで、第１の固定要素３４に対する第１の穴３３は、旋回する別個のベース２４にある。クラシックスタイルスキー用のこの代替によると、ブーツ／靴の踵はスキーから上向きに傾いていてもよい。
【００３１】
図１０は本発明に係るビンディングの更なる実施形態を示している。図はビンディングのブーツの内側の留め具３０を示す。留め具はビンディングにおける留め具のより正確な位置を達成可能にすることによって形成されるものとして突起３９を有する。留め具はビンディングの部品９ａと７の間に固定されている。スライド７は留め具を固定／開放するためにノブ６０により可動できる。
【００３２】
図１１ａ及び図１１ｂは同じブーツ／留め具がスケーティングスタイルのスキーとクラシックスタイルスキーに利用され得る例の配置を示している。留め具３０はブーツに固定されたベース２４を旋回することを有する。ベース２４はまたベースが旋回から固定され得る突起３８を有する。スケーティングスタイルのスキーは後部の固定部品９ｂが突起３８の位置で開口部９ｒを有する場所でのビンディングを有する。この方法ではベース２４が傾く可能性がある。クラシックスタイルスキーにおいては、ビンディングは突起３８の位置が９ｓに近い場所で異なった後部固定部品９ｃを有する。部品９ｃはそれゆえにベース２４を固定し且つそれが旋回することを防いでいる。この配置は例えば追跡スキーに使用可能であり、これはスケーティングスタイルとクラシックスタイルスキーの両方を含む。
【００３３】
また、ビンディングに電動モーターを備え付けることにより、自動固定を使用することができる。このような実施形態では、留め具がスキービンディングの固定要素に挿入される際に、モーターはノブ６０を回転するように固定位置に配置できる。固定要素への挿入時に、剛固定要素は金属製の留め具により不足した電気的接触を含む可能性がある。不足した電子回路はその後、可動式固定部品を固定位置に移動させるために、電動モーターを活性化させる。代替的には、モーターを始動する電気機械的スイッチがある。使用者が固定を解除したい場合、可動式固定部品を非固定にするために、回路はモーターを活性化する押しボタン式のスイッチをも有することがある。電子回路はまた、当業者により理解される機能を提供するためバッテリーと電子制御を含むことがある。
【００３４】
本発明はまた、ビンディングを他のタイプでの使用に適合させることができる。そのような実施形態では、支持板は、例えば、米国特許出願公開第２００７／０１３８７６５号によるもう１つのビンディング機構のビンディングモジュールと機械的接続を有することがある。機械的接続は、例えば、特異的な溝及び／又は支持板の側面に存在する突起により提供されることがある。仮にユーザが既にもう１つのビンディング機構用のブーツを有している場合、ユーザは、本発明のスキービンディングに対する他の機構に従ってビンディングモジュールを取り付けることにより、本発明に係るビンディングを備えたスキーを使用することができる。
【００３５】
本発明を、前述の実施形態を参照して上記で説明し、本発明の幾つかの利点を示した。本発明はこれらの実施形態のみに限定されないことは明らかであるが、以下の特許請求の範囲内に可能な実施形態を全て含む。
【００３６】
クロスカントリースキーに関する実施形態により、本発明を説明してきた。しかし、本発明は、例えばスキージャンプ及びダウンヒルスキー用のスキー、ブーツ及びビンディングにも使用することができる。
【図１】
2014012137.tif 000003
【図２】
2014012137.tif 000004
【図３】
2014012137.tif 000005
【図４】
2014012137.tif 000006
【図５Ａ】
2014012137.tif 000007
【図５Ｂ】
2014012137.tif 000008
【図６Ａ】
2014012137.tif 000009
【図６Ｂ】
2014012137.tif 000010
【図７】
2014012137.tif 000011
【図８】
2014012137.tif 000012
【図９】
2014012137.tif 000013
【図１０】
2014012137.tif 000014
【図１１ａ】
2014012137.tif 000015
【図１１ｂ】
2014012137.tif 000016
【外国語明細書】
2014012137000001.pdf